(57)【要約】【課題】点検結果が正常範囲を超えた異常値であった場合、点検作業者の技量に左右されず、かつ、点検作業中に確実に異常を認識することができる設備点検支援システムを提供する。【解決手段】本発明に係る設備点検支援システム１は、携帯端末５と、携帯端末５に対してデータの送受信を行うサーバ３とを備えたものであって、サーバ３は、サーバ側データ通信手段７と、サーバ側記憶手段９と、利用者特定手段１１とを備え、携帯端末５は、携帯端末側データ通信手段２３と、携帯端末側記憶手段２５と、点検シート一覧表示手段２７と、検索手段２９と、点検シート１３を表示し、点検作業者が点検結果を入力可能な点検シート表示・入力手段３１と、点検結果が予め設定された正常範囲に含まれない場合に、アラームメッセージ４５を表示するとともに、点検シート１３の対応する点検項目に色付け表示を行うアラーム・色付手段３３を備えている。【選択図】  図１
2020060848.tif 000002
【特許請求の範囲】
【請求項１】
設備点検を行う点検作業者が携帯可能な携帯端末と、該携帯端末に対してデータの送受信を行うサーバとを備えた設備点検支援システムであって、
前記サーバは、ネットワークを介して前記携帯端末とデータ通信を行うサーバ側データ通信手段と、設備点検に関する情報と点検結果を入力する点検シートに関するデータベースを保有するサーバ側記憶手段と、前記携帯端末からのログイン情報に基づいてシステム利用者を特定する利用者特定手段とを備え、
前記携帯端末は、ネットワークを介して前記サーバとデータ通信を行う携帯端末側データ通信手段と、前記サーバからダウンロードしたデータおよび入力されたデータを一時的に記憶する携帯端末側記憶手段と、点検シート一覧を表示する点検シート一覧表示手段と、前記携帯端末側記憶手段に記憶されているデータベースから必要なデータを抽出する検索手段と、前記携帯端末側記憶手段に記憶されている点検シートを抽出して表示し、前記点検作業者が点検結果を入力可能な点検シート表示・入力手段と、前記点検シートに入力された点検結果が予め設定された正常範囲に含まれない場合に、アラームメッセージを表示するとともに、前記点検シートの該点検結果に対応する点検項目に色付け表示を行うアラーム・色付手段を備えたことを特徴とする設備点検支援システム。
【請求項２】
前記携帯端末は、前記点検シートの各点検項目に対する詳細情報を表示し、該点検項目に対するコメントを入力可能な点検項目詳細表示・コメント入力手段を備えたことを特徴とする請求項１に記載の設備点検支援システム。
【請求項３】
前記携帯端末は、撮影手段を有し、
前記点検項目詳細表示・コメント入力手段は前記撮影手段を起動して撮影した画像に対するコメントを入力可能な画像撮影・コメント入力手段を有することを特徴とする請求項２に記載の設備点検支援システム。
【発明の詳細な説明】
【技術分野】
【０００１】
本発明は、設備点検を行う点検作業者が携帯可能な携帯端末と、該携帯端末に対してデータの送受信を行うサーバとを備えた設備点検支援システムに関する。
【背景技術】
【０００２】
多数の機械設備が設置されている施設では、設備管理担当者による点検が定期的に行われている。
日々の点検によって設備の異常傾向を早急に察知することで、設備故障に至る前に対処を実施し、設備の安定した運用を維持している。
【０００３】
設備の異常傾向を把握するためには、点検時に測定する数値が予め設定された正常の範囲内であるのかを、点検作業者が判断する必要がある。しかし、設備点検における点検項目は多岐にわたり、各項目におけるすべての正常範囲を把握するのは難しく、点検作業者はその都度、正常範囲を示す閾値を確認しなければならなかった。また、確認を怠れば異常結果そのものを見過ごす懸念があった。
【０００４】
その点、特許文献１では、点検担当者の所持する携帯情報端末に点検作業で得られた点検情報が入力されると、その情報を受け取った管理サーバが異常の有無を判断し、異常が有ると判断された場合には異常結果に対応するための画面を携帯情報端末に表示させる方法が開示されている。
管理サーバが点検結果の異常有無を判断することにより、点検担当者の技量に左右されずに異常傾向を察知することができ、迅速に対処することができるとしている。
【０００５】
また、特許文献１では、点検作業の指示や、異常と管理サーバが判断した場合の異常対応の手順が携帯情報端末に与えられる。点検作業の指示や異常対応の手順は管理サーバによって生成され、点検担当者は与えられた選択肢に従って点検を実施できるため、設備に精通していなくとも適切な対応を可能としている。
【０００６】
さらに、特許文献１では、点検作業中に携帯情報端末に搭載されているカメラで撮影した画像を管理サーバに送信して、点検の統括者と点検箇所の様子を共有することで通話により適切な指示を仰ぐことができる方法も開示されている。
【０００７】
また、点検箇所の記録として撮影した画像をサーバのデータベースで保管する方法が特許文献２に開示されている。時系列に点検箇所の画像を表示して比較することで、例えば設備に発生した亀裂の様子などの経時変化を容易に観察することができる。
さらに、現像写真を紙媒体で保管することにくらべて、電子媒体による保管は写真の色褪せがなく、保管場所を確保する必要がないという利点があった。
【先行技術文献】
【特許文献】
【０００８】
【特許文献１】特開２００２−１８９５１３号公報
【特許文献２】特開２００７−５８４９６号公報
【発明の概要】
【発明が解決しようとする課題】
【０００９】
しかしながら、特許文献１に記載されるような、点検結果に異常値が入力された場合に携帯端末に異常対応に関する画面が表示されるのみでは、携帯端末の画面が小さく画面構成も通常の点検画面と似ていることから、異常画面に気付きにくいという問題があった。表示される文字を読み取らずに画面を遷移してしまうと、異常結果を見落としたまま点検を進めてしまうという懸念もある。
【００１０】
また、管理サーバの生成した点検項目の数値入力や選択肢に従って点検結果を入力する方法は、設備に精通していない点検担当者でも点検作業を可能とするが、点検によって得られる情報は、目視による状態確認や、異音がないかなど、点検作業者の視覚・聴覚等によって得られるものも多く、事前に計画された点検項目の測定数値のみに限られない。また、点検の統括者と点検作業者が通話のみで連絡するため、口頭による聞き洩れや連絡後の忘却が生じやすい。
したがって、点検作業者が作業中に感じた違和感や異常内容を具体的に記録できるようにすることが必要とされるが、特許文献１に記載の方法はこのような要請を満たすものではなかった。
【００１１】
さらに、特許文献１、特許文献２に記載されるような、点検中にカメラで撮影した画像をサーバに記録するのみの方法は、撮影枚数が多い場合、点検後に設備のどのような状態を撮影したものであるのか、何を記録するために撮影したものであるのかなどが判別できなくなる懸念があった。
【００１２】
本発明はかかる課題を解決するためになされたものであり、点検結果が正常範囲を超えた異常値であった場合、点検作業者の技量に左右されず、かつ、点検作業中に確実に異常を認識することができる設備点検支援システムを提供することを目的としている。
また、点検作業者の点検作業中または点検直後の所感に基づく、具体的な点検記録を残すことができる設備点検支援システムを提供することを目的としている。
さらに、点検中に撮影した画像を正確に記録・管理することができる設備点検支援システムを提供することを目的としている。
【課題を解決するための手段】
【００１３】
（１）本発明に係る設備点検支援システムは、設備点検を行う点検作業者が携帯可能な携帯端末と、該携帯端末に対してデータの送受信を行うサーバとを備えた設備点検支援システムであって、
前記サーバは、ネットワークを介して前記携帯端末とデータ通信を行うサーバ側データ通信手段と、設備点検に関する情報と点検結果を入力する点検シートに関するデータベースを保有するサーバ側記憶手段と、前記携帯端末からのログイン情報に基づいてシステム利用者を特定する利用者特定手段とを備え、
前記携帯端末は、ネットワークを介して前記サーバとデータ通信を行う携帯端末側データ通信手段と、前記サーバからダウンロードしたデータおよび入力されたデータを一時的に記憶する携帯端末側記憶手段と、点検シート一覧を表示する点検シート一覧表示手段と、前記携帯端末側記憶手段に記憶されているデータベースから必要なデータを抽出する検索手段と、前記携帯端末側記憶手段に記憶されている点検シートを抽出して表示し、前記点検作業者が点検結果を入力可能な点検シート表示・入力手段と、前記点検シートに入力された点検結果が予め設定された正常範囲に含まれない場合に、アラームメッセージを表示するとともに、前記点検シートの該点検結果に対応する点検項目に色付け表示を行うアラーム・色付手段を備えたことを特徴とするものである。
【００１４】
（２）また、（１）に記載のものにおいて、前記携帯端末は、前記点検シートの各点検項目に対する詳細情報を表示し、該点検項目に対するコメントを入力可能な点検項目詳細表示・コメント入力手段を備えたことを特徴とするものである。
【００１５】
（３）また、（２）に記載のものにおいて、前記携帯端末は、撮影手段を有し、
前記点検項目詳細表示・コメント入力手段は前記撮影手段を起動して撮影した画像に対するコメントを入力可能な画像撮影・コメント入力手段を有することを特徴とするものである。
【発明の効果】
【００１６】
本発明に係る設備点検支援システムにおいては、点検シートに異常値が入力された際にアラームメッセージを表示するとともに、対応する点検項目に色付け表示を行うアラーム・色付手段を備えたことにより、設備に精通していない点検作業者であっても、正常範囲の閾値を別途確認することなく、点検結果の異常を点検作業中に確実に察知することができ、迅速な対処が可能となる。
【００１７】
また、各点検項目に対する詳細情報を表示し、点検項目に対するコメントを入力可能な点検項目詳細表示・コメント入力手段を備えたことにより、点検作業者が作業中に感じた違和感や、異音・異臭など、測定値以外の情報についても具体的に記録することができる。
【００１８】
さらに、撮影した画像に対するコメントを入力可能な画像撮影・コメント入力手段を有することにより、設備のどのような状況を撮影したものであるのかなど、具体的な情報を正確に記録することができ、点検後の情報共有を詳細かつ確実に行うことができる。
【図面の簡単な説明】
【００１９】
【図１】本発明の一実施の形態に係る設備点検支援システムの構成を説明する説明図である。
【図２】本発明の一実施の形態に係る携帯端末における点検シート一覧表示画面を示す図である。
【図３】本発明の一実施の形態に係る携帯端末における点検シート表示画面を示す図である。図３（ａ）は通常時の状態を示すものであり、図３（ｂ）は点検結果が異常値であった場合の状態を示すものである。
【図４】本発明の一実施の形態に係る点検項目詳細画面を示す図である。
【図５】本発明の一実施の形態に係る画像コメント入力画面を示す図である。
【図６】本発明の一実施の形態に係る携帯端末を使用した設備点検支援システムのフロー図である。
【発明を実施するための形態】
【００２０】
本実施の形態に係る設備点検支援システム１は図１に例を示すように、設備点検に関する情報と点検結果を入力する点検シートに関するデータベースを保有するサーバ３と、点検作業者が点検作業時に携帯し点検結果を入力する携帯端末５により構成されている。
以下、各構成について詳細に説明する。
【００２１】
＜サーバ＞
サーバ３は、ネットワークを介して携帯端末５とデータ通信を行うサーバ側データ通信手段７と、設備点検に関する情報を蓄積したデータベースを保有するサーバ側記憶手段９と、携帯端末５からのログイン情報に基づいてシステム利用者を特定する利用者特定手段１１を備えている。
以下、サーバ３の各構成について説明する。
【００２２】
≪サーバ側データ通信手段≫
サーバ側データ通信手段７は、サーバ３が携帯端末５とネットワークを介して行うデータ通信を制御するものである。
【００２３】
≪サーバ側記憶手段≫
サーバ側記憶手段９は、設備点検に関する情報を蓄積したデータベース（ＤＢ）を保有しており、例えば図１に示すとおり、担当者データベース９ａ、設備データベース９ｂ、点検データベース９ｃ、点検履歴データベース９ｄ、点検結果データベース９ｅを有している。なお、サーバ側記憶手段９に記憶されるデータベースは、上記のデータベースに限定されるわけではない。
【００２４】
担当者データベース９ａは、設備点検支援システム１を利用する点検作業者や点検管理者などの担当者情報を有している。担当者情報には例えば、設備点検支援システム１にログインするために必要なＩＤやパスワードなどが含まれる。
【００２５】
設備データベース９ｂは、点検対象となりうる設備の詳細情報を有する。設備の詳細情報には例えば、設備の仕様や図面などが含まれる。
【００２６】
点検データベース９ｃは、設備の点検計画に関する情報を有している。点検計画に関する情報には例えば、設備データベース９ｂに関連する点検対象となる設備情報、点検の内容である点検項目情報、点検を実施する間隔である点検周期情報などが含まれる。
【００２７】
点検履歴データベース９ｄは、点検の実施情報を有する。点検の実施情報には例えば、点検作業者が点検実施後に点検結果を入力した点検シート１３をサーバ３にアップロードした日時などが含まれる。
【００２８】
点検結果データベース９ｅは、点検結果に関する情報を有する。点検結果に関する情報には例えば、点検を実施した点検作業者によって点検シート１３に入力された数値や選択項目などの情報や、点検項目に対するコメント、撮影画像、画像に対するコメントなどが含まれる。
【００２９】
≪利用者特定手段≫
利用者特定手段１１は、点検作業者が携帯端末５にて設備点検支援システム１の利用を開始する際、ＩＤとパスワードの入力を求める。ＩＤとパスワードが入力されると、サーバ側記憶手段９内の担当者データベース９ａ内に登録されている担当者情報と入力された情報を比較する。入力された情報と、担当者データベース９ａの情報が一致した場合、システム利用者を該当するＩＤで登録されている担当者であると特定し、設備点検支援システム１の利用を可能とする。
【００３０】
＜点検シート＞
点検シート１３は、点検作業者が携帯端末５にて点検結果を入力し、点検結果をサーバ３に保存、蓄積するために使用されるものであり、従来例における紙のチェックシートの代替となるものである。点検作業者は点検実施前にサーバ３から携帯端末５へ該当する点検シート１３をダウンロードし、携帯端末５に点検シート１３を表示させながら点検を実施する。
【００３１】
＜携帯端末＞
携帯端末５は、点検作業者が工場等の設備１５を点検する際に持ち歩くことができる携帯用端末であり、例えばスマートフォンのような低価格で入手できる高機能な汎用機を利用することができる。
携帯端末５は、カメラなど、点検作業中に点検箇所を撮影可能な撮影手段１７と、タッチパネルなど、点検作業者が数値やコメントなどの情報を入力可能な入力手段１９と、モニタなど、システムの利用に必要な情報を画面表示可能な表示手段２１と、ネットワークを介してサーバ３とデータ通信を行う携帯端末側データ通信手段２３と、サーバ３からダウンロードしたデータ、撮影手段１７で撮影した画像や入力手段１９から入力されたデータを一時的に記憶する携帯端末側記憶手段２５と、点検シート１３を一覧表示する点検シート一覧表示手段２７と、携帯端末側記憶手段２５に記憶されているデータベースから必要なデータを抽出する検索手段２９と、携帯端末側記憶手段２５に記憶されている点検シート１３を抽出して表示し、点検作業者が点検結果を入力可能な点検シート表示・入力手段３１と、点検シート１３に入力された点検結果が予め設定された正常範囲に含まれない場合に、アラームメッセージを表示するとともに、点検シート１３の対応する点検項目部分に色付け表示を行うアラーム・色付手段３３と、点検シート１３の各点検項目に対する詳細情報を表示し、点検項目に対する点検作業者のコメントを入力可能な点検項目詳細表示・コメント入力手段３５とを備えている。
以下、携帯端末の各構成について説明する。
【００３２】
≪携帯端末側データ通信手段≫
携帯端末側データ通信手段２３は、携帯端末５がサーバ３とネットワークを介して行うデータ通信を制御するものである。
【００３３】
≪携帯端末側記憶手段≫
携帯端末側記憶手段２５は、サーバ３からダウンロードされる設備点検に必要なデータや、携帯端末５にて点検結果が入力された点検シート１３などを一時的に記憶するものである。
【００３４】
≪点検シート一覧表示手段≫
点検シート一覧表示手段２７は、図２に示すとおり、システムにログインした点検作業者の携帯端末５上に、担当する点検の点検シート１３を一覧表示するものである。
点検作業者は一覧の中から点検シート１３を選択することで、該当する点検シート１３を携帯端末５内にダウンロードすることができる。
【００３５】
≪検索手段≫
検索手段２９は、携帯端末側記憶手段２５に記憶されている点検シート１３の関連データから、必要なデータを抽出するものである。
【００３６】
≪点検シート表示・入力手段≫
点検シート表示・入力手段３１は携帯端末側記憶手段２５に記憶されている点検シート１３を抽出して携帯端末５の表示手段２１に表示するものである（図３（ａ）参照）。
点検シート１３に入力する内容には、点検を実施した日付や時間に関する情報や、予め計画された複数の点検項目に対する点検結果などがある。点検シート１３の入力画面には、それら入力が必要な項目が点検手順に合わせて縦に羅列して表示される。以下、ひとつの点検項目に対応する表示部分を点検項目表示部３７という。
【００３７】
各点検項目表示部３７は、点検結果入力ボタン３９を備えている。
点検作業者は点検結果入力ボタン３９を選択することにより、該当する点検項目の点検結果を入力することができる。入力方法はテキスト入力、数値入力、選択入力、複数選択入力、画像入力などがあり、点検項目に合わせて設定されている。
【００３８】
また、入力方法が数値入力や選択入力である点検項目表示部３７は、グラフ表示ボタン４１も備えている。
点検作業者はグラフ表示ボタン４１を選択することにより、該当する点検項目について、過去の点検結果を時系列にグラフ化したものを携帯端末５に表示させることができる。グラフは携帯端末側記憶手段２５内にある点検シート１３の関連データに基づいて作成される。
これにより点検作業者は過去の点検結果の経過を視覚的に把握することができ、設備１５の状態傾向に合わせた、より柔軟な点検が可能となる。
【００３９】
点検シート１３の下部には図面参照ボタン４３が配置されている。点検作業者が図面参照ボタン４３を選択することで、表示中の点検シート１３が対象としている設備１５に関する図面が表示手段２１に表示され、点検作業に必要な図面を適宜参照することができる。
【００４０】
≪アラーム・色付手段≫
アラーム・色付手段３３は、点検作業者によって点検シート１３に入力された点検結果が予め設定された正常範囲に含まれない場合に、アラームメッセージ４５を表示するとともに、対応する点検項目表示部３７に色付け表示を行い、点検作業者に点検結果が異常値であることを察知させるものである（図３（ｂ）参照）。
具体的な例について以下に説明する。
【００４１】
点検項目のうち、点検結果を数値で入力するもの、項目の選択によって入力するもの（◎、○、×の３択など）は、事前に点検の合格基準である正常範囲の設定を行う。ここでいう正常範囲は後述する点検項目詳細画面の合格範囲に相当するものである。
【００４２】
アラーム・色付手段３３は、点検作業者が一つの点検項目について、点検結果の入力を行うと、入力された値が予め設定された正常範囲に含まれるかを判断する。入力された値が正常範囲に含まれない場合には、携帯端末５上に点検シート画面が再表示された際、図３（ｂ）のように、該当する点検項目表示部３７に例えば、「合格範囲外の値が入力されました」などのアラームメッセージ４５を表示するとともに、通常時と異なる色を表示する。表示色は赤色や黄色などの点検作業者の注意を引きやすい色や、通常時の表示色との違いが分かりやすいものが好ましい。
【００４３】
また、携帯端末５に付属する機能を利用できる場合には、振動やアラーム音などを併用して点検作業者に注意を促してもよい。
【００４４】
上述したアラームメッセージ４５と点検項目表示部３７の色付け表示により、設備１５に精通していない点検作業者であっても、正常範囲の閾値を別途確認することなく、点検結果の異常を点検作業中に確実に察知することができ、迅速な対処が可能となる。
【００４５】
さらに、異常を確認した後、後述する点検項目詳細表示・コメント入力手段３５を用いることで、コメントや画像などの、さらに詳細な情報を点検結果として残すことが可能となる。
【００４６】
≪点検項目詳細表示・コメント入力手段≫
点検項目詳細表示・コメント入力手段３５は、例えば、点検作業者が点検項目表示部３７を長押しすることで、該当する点検項目に対する詳細情報を表示し、点検項目に対して点検作業者が自由にコメントを入力することができるものである。（図４参照）
点検作業者は点検項目詳細画面を参照することで、点検の方法や入力数値の単位、点検結果の正常範囲（合格範囲）などを確認することができる。また、点検中に気が付いたことや点検異常に関する情報などを自由にテキスト入力することができる。
【００４７】
本実施の形態では点検項目表示部３７を長押しすることで点検項目詳細画面を表示する例を挙げたが、別途点検項目詳細表示ボタンを用意して、ボタンを選択することで点検項目詳細画面を表示できるようにしてもよい。
【００４８】
点検作業者が点検作業中に、各点検項目に対し自由にコメントを残せるようにしたことで、点検作業者が作業中に感じた違和感や、異音・異臭などの情報についても具体的に記録することができる。
【００４９】
また、点検項目詳細表示・コメント入力手段３５は、画像撮影・コメント入力手段４７を備えている。画像撮影・コメント入力手段４７は、点検項目に関連する画像を撮影し、撮影した画像に対して点検作業者が自由にコメントを入力することができるものである。
【００５０】
点検作業者が図４に示す点検項目詳細画面の下部にある撮影手段起動ボタン４９を選択することで携帯端末５の撮影手段１７が起動する。点検作業者は起動した撮影手段１７を用いて、設備１５の該当箇所を撮影する。撮影を終えると、図５に示すような、画像コメント入力画面が携帯端末５に表示される。
【００５１】
点検作業者は撮影した画像に対し、撮影対象や撮影対象の状態に関する情報を自由にテキスト入力することができる。
撮影された画像と画像に対するコメントは、点検終了後、点検シート１３と一緒にサーバ３にアップロードされる。
【００５２】
上述したとおり、点検項目に対応させて画像を撮影し保存することにより、点検後の画像データの整理が容易となる。また、点検作業者が点検中に画像に対するコメントを入力できるようにしたことで、設備１５のどのような状況を撮影したものであるのかなど、具体的な情報を即座に記録することができ、点検後に点検管理者に異常を報告する際にも詳細で確実な情報共有が可能となる。
【００５３】
上記のように構成された設備点検支援システム１を利用した点検方法の一例を、図６を用いて説明する。
まず、点検作業者は携帯端末５にて、設備点検支援システム１にログインするためのログイン情報を入力する（Ｓ１）。サーバ３の利用者特定手段１１は携帯端末５から得られた情報に基づき、サーバ３の担当者データベース９ａから設備点検支援システム１の利用者を特定する（Ｓ３）。特定ができると設備点検支援システム１の利用が可能となり、点検シート一覧表示手段２７は、携帯端末５に点検作業者が担当する点検の点検シート一覧を表示する（Ｓ５）。
【００５４】
点検作業者は、実施する点検の項目を選択することで（Ｓ７）、該当する点検シート１３をサーバ３から携帯端末５にダウンロードする。その際、該当する点検に関連するデータについても、サーバ３から携帯端末５にダウンロードする（Ｓ９）。
その後、点検作業者は点検対象となる設備１５が設置されている場所に移動し、点検を開始する（Ｓ１１）。
【００５５】
点検シート表示・入力手段３１はダウンロードされた点検シート１３を携帯端末５の表示手段２１に表示する（Ｓ１３）。点検項目がひとつ点検完了するごとに、携帯端末５に表示される該当する点検項目表示部３７の点検結果入力ボタン３９を選択し、点検結果を入力する（Ｓ１５）。
【００５６】
アラーム・色付手段３３は、点検作業者が入力した点検結果の値が、予め設定された正常範囲に含まれるかを判断する（Ｓ１７）。
入力された値が正常範囲に含まれない場合には、点検シート１３の該当する点検項目表示部３７にアラームメッセージ４５を表示するとともに、色付け表示を行う（Ｓ１９）。
【００５７】
点検作業者は、アラームメッセージ４５と色付表示により、点検結果が異常値であることを察知し、より具体的な情報の入力を行うため、色付け表示がされている点検項目表示部３７を長押しする（Ｓ２１）。
【００５８】
点検項目詳細表示・コメント入力手段３５は、点検項目詳細画面を表示手段２１に表示する（Ｓ２３）。点検作業者は計測した数値以外に異音や異臭など記録するべき事項があればコメントを入力する（Ｓ２５）。
また、設備１５の状態を撮影して記録しようとする場合には、点検項目詳細画面の撮影手段起動ボタン４９を選択する（Ｓ２７）。
【００５９】
画像撮影・コメント入力手段４７は携帯端末５の撮影手段１７を起動し（Ｓ２９）、点検作業者は設備１５の点検箇所を撮影する（Ｓ３１）。撮影を終えると、画像撮影・コメント入力手段４７は、画像コメント入力画面を表示手段２１に表示する（Ｓ３３）。点検作業者は、画像が設備１５のどのような状態を撮影したものであるのかなど、撮影画像に対する具体的なコメントを入力する（Ｓ３５）。
【００６０】
点検作業者は点検シート１３に表示される点検項目について未点検項目があるか確認し（Ｓ３７）、未点検項目がある場合には、順次点検結果を入力する。
【００６１】
ステップＳ１７で入力された値が正常範囲に含まれると判断された場合は、ステップＳ１９は行われず、ステップＳ３７に移行し、点検作業者は未点検項目を順次入力する。ステップＳ１９が行われなくとも、点検作業者が点検作業中に異常と思われる状態を確認した時には、随時ステップＳ２１〜ステップＳ３５を行って点検項目に対するコメントや、撮影、撮影画像に対するコメントを記録してもよい。
【００６２】
点検作業者はすべての項目について点検結果を点検シート１３に入力し終えたら、点検を終了し、（事務所に移動して）（Ｓ３９）、点検シート１３と撮影画像をサーバ３にアップロードする（Ｓ４１）。アップロードされた点検シート１３に入力された点検結果は、サーバ側記憶手段９の点検結果データベース９ｅに保存される。点検の終了により、携帯端末側記憶手段２５に一時保存されていたデータは削除される。
【００６３】
以上のように、点検作業者は、アラームメッセージ４５と該当する点検項目表示部３７の色付け表示によって点検結果が異常値であることを点検作業中に確実に察知することができるため、迅速な対処が可能となる。
また、点検作業中に点検作業者のコメントを残せるようにしたことで、異音や異臭など点検作業者の所感に基づいて確認された異常状態を具体的に記録することができる。
さらに、撮影した画像に対するコメントを入力可能にしたことで、設備のどのような状況を撮影したものであるのかなど、画像の具体的な情報を付与することができ、かつ、点検項目に対応して保存されることで、点検画像を正確に記録・管理することができる。
【００６４】
なお、上述した実施の形態は設備点検を行う場所に無線ネットワーク環境が整っていない場合でも実施可能な形態を例に上げているが、設備点検を行う場所に携帯端末５とサーバ３が随時通信可能な無線ネットワーク環境が整っている場合には、点検シート１３をダウンロードする際に該当する点検に関連するデータをサーバ３から携帯端末５にダウンロードせず、随時サーバ３に通信することでデータを取得するようにしてもよい。
【符号の説明】
【００６５】
１  設備点検支援システム
３  サーバ
５  携帯端末
７  サーバ側データ通信手段
９  サーバ側記憶手段
９ａ  担当者データベース
９ｂ  設備データベース
９ｃ  点検データベース
９ｄ  点検履歴データベース
９ｅ  点検結果データベース
１１  利用者特定手段
１３  点検シート
１５  設備
１７  撮影手段
１９  入力手段
２１  表示手段
２３  携帯端末側データ通信手段
２５  携帯端末側記憶手段
２７  点検シート一覧表示手段
２９  検索手段
３１  点検シート表示・入力手段
３３  アラーム・色付手段
３５  点検項目詳細表示・コメント入力手段
３７  点検項目表示部
３９  点検結果入力ボタン
４１  グラフ表示ボタン
４３  図面参照ボタン
４５  アラームメッセージ
４７  画像撮影・コメント入力手段
４９  撮影手段起動ボタン
【図１】
2020060848.tif 000003
【図２】
2020060848.tif 000004
【図３】
2020060848.tif 000005
【図４】
2020060848.tif 000006
【図５】
2020060848.tif 000007
【図６】
2020060848.tif 000008